(57)【要約】【課題】画像データの書き込み不足と低消費電力化とを両立することの可能な電気光学装置及び電気機器を提供する。【解決手段】画像データをライン反転駆動方式で供給する際に、Ｗ（白系）のサブ画素３７Ｗが接続されていない走査線ｙ１２を選択するときにのみ、この走査線ｙ１２と同極性の画像データが供給される走査線ｙ１４に対しても同時に予備選択電圧を供給し、走査線ｙ１２に接続されたサブ画素への画像データの書き込みを行うと共に、この画像データを利用して予備選択電圧が供給される走査線ｙ１４に接続されたサブ画素への予備書き込みを行って書き込み不足を回避する。輝度情報を有するＷ系のサブ画素３７Ｗに書き込み不足が生じたとしても、表示画像に与える影響は小さいから、Ｗ系のサブ画素３７Ｗが接続された走査線ｙ１３については予備書き込みを行わず、消費電力の削減を図る。【選択図】図５
2008164897.tif 000002
【特許請求の範囲】
【請求項１】
複数の走査線と複数のデータ線とのそれぞれの交差に対応して設けられた複数の画素を
有するとともに、４色以上の色表示可能な画素により構成される表示部と、
前記４色以上の色表示可能な画素に対応した色数よりも少ない色数の情報を有する第１
の色画像信号が入力されるとともに、当該第１の色画像信号を前記４色以上の色表示可能
な画素に対応した色数の情報を有する第２の色画像信号に変換する画像処理回路と、
第１の走査線群及び第２の走査線群に対して選択電圧を供給することで前記走査線を順
次選択する走査線駆動回路と、
前記選択電圧が供給される１水平走査期間において、選択信号に基づいて所定本数のデ
ータ線から選択した１本のデータ線に対して前記第２の色画像信号を時分割した信号を供
給する選択回路と、
前記第１の走査線群及び前記第２の走査線群に前記選択電圧が供給される水平走査期間
において、前記選択回路で選択されるデータ線に、それぞれ異なる極性の前記第２の色画
像信号を供給するデータ線駆動回路と、を備え、
前記表示部において、前記４色以上の色表示可能な画素が、隣接する第１及び第２の走
査線群上に分けて配列されるとともに、前記第１の走査線群または第２の走査線群のいず
れか一方に対応する画素において特定色を有し、
前記走査線駆動回路は、前記特定色が配列された走査線群に対して選択電圧を順次供給
すると共に、前記特定色以外が配列された走査線群に対して前記選択電圧を供給する場合
、選択電圧を順次供給するとともに当該選択電圧が供給されるよりも前に予備選択電圧を
供給することを特徴とする電気光学装置。
【請求項２】
前記走査線駆動回路は、自身が選択されるよりも前に選択される同一極性の走査線の中
で最も隣接した走査線と同じタイミングで前記予備選択電圧を供給することを特徴とする
請求項１記載の電気光学装置。
【請求項３】
前記第１または第２の走査線群のうち前記特定色が配列された走査線群において、前記
選択回路により時分割で供給された前記第２の色画像信号が前記特定色に対して最後に供
給されることを特徴とする請求項１または２に記載の電気光学装置。
【請求項４】
前記走査線駆動回路は、前記予備選択電圧の供給期間を、前記選択電圧の供給期間より
も短い期間に設定することを特徴とする請求項１乃至３の何れか１項に記載の電気光学装
置。
【請求項５】
前記データ線駆動回路は、前記第２の色画像信号を、１水平走査期間毎にその極性を反
転させて供給し、
前記画素は、前記走査線と前記データ線との交差に対応して設けられた画素電極と、当
該画素電極に対向して設けられた対向電極とで構成され、
前記特定色が配列された走査線群に対応する画素に対して前記第２の色画像信号を供給
するときの、当該第２の色画像信号の極性が反転する直前の水平ブランキング期間中に、
前記データ線と前記対向電極とを短絡させるスイッチ回路を備えることを特徴とする請求
項１乃至４の何れか１項に記載の電気光学装置。
【請求項６】
前記特定色は、白系又はシアン系であることを特徴とする請求項１乃至５の何れか１項
に記載の電気光学装置。
【請求項７】
前記請求項１乃至６の何れか1項に記載の電気光学装置を備えることを特徴とする電気
機器。
【発明の詳細な説明】
【技術分野】
【０００１】
本発明は、例えば、液晶等の電気光学物質を用いた電気光学装置、及びこの電気光学装
置を有する電気機器に関する。
【背景技術】
【０００２】
画像を表示する液晶表示装置等の電気光学装置では、カラー表示を可能とするために、
カラーフィルタが設けられている。従来、カラーフィルタとしては、色の３原色に対応し
たＲ（赤）、Ｇ（緑）、Ｂ（青）の３色が多用されていたが、近年では、電気光学装置の
輝度を向上させることを目的として、多色（４色以上）のカラーフィルタが採用される傾
向にある。
【０００３】
このような多色のカラーフィルタを採用した電気光学装置として、３色映像データをＲ
、Ｇ、Ｂ及びＷ（白色）の４色映像データに変換し、現在映像データと直前映像データと
の差によって３色映像データと４色映像データとの中から一つを選択してデータ駆動部に
供給するというものが知られている（例えば、特許文献１参照）。
【特許文献１】特開２００４−１０２２９２号公報
【発明の開示】
【発明が解決しようとする課題】
【０００４】
しかしながら、上記特許文献に記載の電気光学装置にあっては、多色のカラーフィルタ
を採用してパネルの輝度を向上させることはできるものの、４色画像データの供給方法に
ついては何ら開示されていない。
そこで、本発明は、４色画像データを供給する際に、画像データの書き込み不足の解消
と、低コスト化とを両立することの可能な電気光学装置及び電気機器を提供することを目
的としている。
【課題を解決するための手段】
【０００５】
上記した課題を解決するために、本発明の電気光学装置は、複数の走査線と複数のデー
タ線とのそれぞれの交差に対応して設けられた複数の画素を有するとともに、４色以上の
色表示可能な画素により構成される表示部と、前記４色以上の色表示可能な画素に対応し
た色数よりも少ない色数の情報を有する第１の色画像信号が入力されるとともに、当該第
１の色画像信号を前記４色以上の色表示可能な画素に対応した色数の情報を有する第２の
色画像信号に変換する画像処理回路と、第１の走査線群及び第２の走査線群に対して選択
電圧を供給することで前記走査線を順次選択する走査線駆動回路と、前記選択電圧が供給
される１水平走査期間において、選択信号に基づいて所定本数のデータ線から選択した１
本のデータ線に対して前記第２の色画像信号を時分割した信号を供給する選択回路と、前
記第１の走査線群及び前記第２の走査線群に前記選択電圧が供給される水平走査期間にお
いて、前記選択回路で選択されるデータ線に、それぞれ異なる極性の前記第２の色画像信
号を供給するデータ線駆動回路と、を備え、前記表示部において、前記４色以上の色表示
可能な画素が、隣接する第１及び第２の走査線群上に分けて配列されるとともに、前記第
１の走査線群または第２の走査線群のいずれか一方に対応する画素において特定色を有し
、前記走査線駆動回路は、前記特定色が配列された走査線群に対して選択電圧を順次供給
すると共に、前記特定色以外が配列された走査線群に対して前記選択電圧を供給する場合
、選択電圧を順次供給するとともに当該選択電圧が供給されるよりも前に予備選択電圧を
供給することを特徴としている。
【０００６】
ここで、１水平走査期間においてデータ線を切り替えて複数の画素に第２の色画像信号
を供給する場合、１水平走査期間における、一画素への第２の色画像信号の供給期間、す
なわち書き込み期間が短くなるため、書き込み不足が生じる可能性がある。
しかしながら、特定色以外が配列された走査線群については、この特定色以外が配列さ
れた走査線群に対して選択電圧を順次供給すると共に、この選択電圧が供給される前に、
前以って予備選択電圧を供給する。したがって、書き込み期間が短くなる分、予め書き込
みを行っておくことにより、書き込み不足を解消することができる。
【０００７】
また、特定色が配列された走査線群については予備的な書き込みを行わないから、その
分、消費電力の削減を図ることができ、このとき、特定色として、例えば書き込み不足が
生じたとしても表示画像に与える影響が少ない色等、書き込み不足を許容可能な色を設定
しておくことにより、表示画像に与える影響を抑制しつつ、消費電力の削減を図ることが
できる。
【０００８】
また、上記した電気光学装置において、前記走査線駆動回路は、自身が選択されるより
も前に選択される同一極性の走査線の中で最も隣接した走査線と同じタイミングで前記予
備選択電圧を供給することを特徴としている。
これにより、真の書き込みタイミングである画素の近傍の画素に対して前以って予備的
な書き込みを行うことになり、比較的近接した画素であり且つ書き込まれるデータが比較
的近似している画素に対して他の画素への第２の色画像信号を利用して書き込みを行うこ
とになるから、書き込みタイミングではない画素に対して他の画素への第２の色画像信号
を利用して予備的な書き込みを行うことに起因する、表示画像に与える影響を低減するこ
とができる。
【０００９】
また、上記した電気光学装置において、前記第１または第２の走査線群のうち前記特定
色が配列された走査線群において、前記選択回路により時分割で供給された前記第２の色
画像信号が前記特定色に対して最後に供給されることを特徴としている。
上記構成によれば、特定色に対応する画素への書き込み期間は、これより先に第２の色
画像信号が供給される画素よりも短くなり、書き込み不足が生じる可能性が相対的に高い
が、特定色として書き込み不足を許容可能な色を設定しておくことによって、書き込み不
足による表示画像への影響を効果的に低減することができる。
【００１０】
また、上記した電気光学装置において、前記走査線駆動回路は、前記予備選択電圧の供
給期間を、前記選択電圧の供給期間よりも短い期間に設定することを特徴としている。
上記構成によれば、予備選択電圧の供給期間を選択電圧の供給期間よりも短くし、真に
書き込みを行う場合よりも、予備的な書き込みを行う場合の方が、書き込み時間が短くな
るようにしたから、表示画像に影響を与えない程度の期間のみ予備的な書き込みを行うこ
とによって、表示画像に与える影響を低減することができる。
【００１１】
また、上記した電気光学装置において、前記データ線駆動回路は、前記第２の色画像信
号を、１水平走査期間毎にその極性を反転させて供給し、前記画素は、前記走査線と前記
データ線との交差に対応して設けられた画素電極と、当該画素電極に対向して設けられた
対向電極とで構成され、前記特定色が配列された走査線群に対応する画素に対して前記第
２の色画像信号を供給するときの、当該第２の色画像信号の極性が反転する直前の水平ブ
ランキング期間中に、前記データ線と前記対向電極とを短絡させるスイッチ回路を備える
ことを特徴としている。
【００１２】
上記構成によれば、特定色が配列された走査線群については、画素電極に印加される第
２の色画像信号の極性が反転する前に、データ線と対向電極とを短絡させて画素電極に対
向電極電位を印加させ、画素に対して前以って書き込みを行っていることから、短絡させ
ることで、他の画素への第２の色画像信号を利用しての予備的な書き込みを行う場合と同
等の作用効果を得ることができる。
【００１３】
また、上記した電気光学装置において、前記特定色は、白系又はシアン系であることを
特徴としている。
上記構成によれば、相対的に表示画像の輝度に関与する白系又はシアン系の色を特定色
としているから、書き込み不足が生じた場合に、表示画像に与える影響を効果的に低減す
ることができる。
【００１４】
また、本発明の電気機器は、上述の何れかの電気光学装置を備えることを特徴としてい
る。
これにより、電気光学装置の、書き込み不足を解消しつつ、低消費電力化を図ることの
可能な電気機器を実現することができる。
【発明を実施するための最良の形態】
【００１５】
以下、本発明の実施の形態を説明する。
図１は、本実施形態の電気光学装置の斜視図である。
図１に示すように、本実施形態の電気光学装置１００は、ガラス、石英又は樹脂等で構
成された一対の基板であるＴＦＴアレイ基板２と対向基板３との間に電気光学物質である
液晶セルを挟持して構成される表示パネルを具備して構成される。
【００１６】
電気光学装置１００は、外部装置から入力された画像信号に基づいて画像表示領域（表
示部）４にカラー画像を表示する。
なお、以下の説明では、便宜上、本実施形態の電気光学装置１００を、透過型のＴＦＴ
アクティブマトリクス駆動方式の液晶表示パネルとして説明する。また、本実施形態の電
気光学装置１００は、縦（図中Ｘ方向）２４０画素、横（図中Ｙ方向）１８０画素の行列
上に配列された画素で構成される画像表示領域４を有するマトリクス型表示装置として説
明する。
【００１７】
電気光学装置１００のＴＦＴアレイ基板２上には、フレキシブル配線基板（以下、ＦＰ
Ｃ（Flexible Printed Circuit）と称する）である外部接続ＦＰＣ５が接続されている。
ＦＰＣ５の一端は電気光学装置１００の外部接続端子上に接続されており、他端は電気光
学装置１００を制御するための外部装置である、図示しないＬＣＤコントローラ１１に接
続される。なお、図１中の１は、表示パネルを駆動する駆動回路である。
【００１８】
図２は、電気光学装置１００の概略構成を示す説明図である。
図２に示すように、電気光学装置１００のＴＦＴアレイ基板２の画像表示領域４内には
、複数本の走査線３３と複数本のデータ線３４とが交差するように配線されており、走査
線３３とデータ線３４との各交差部分に対応して画素電極３５がマトリクス状に形成され
ている。また、走査線３３とデータ線３４との各交差部分に対応して画素スイッチング素
子である薄膜トランジスタ（Thin Film Transistor；以下ＴＦＴと称する）３６が形成さ
れている。また、電気光学装置１００の対向基板の画像表示領域４内には、前記画素電極
３５に対向して対向電極４０が形成されている。対向電極４０は、画像表示領域４内の全
ての領域に形成された、いわゆるベタ電極である。
【００１９】
ＴＦＴ３６のソースにはデータ線３４が電気的に接続されており、ＴＦＴ３６のドレイ
ンに画素電極３５が電気的に接続されている。また、ＴＦＴ３６のゲートには走査線３３
が電気的に接続されている。ＴＦＴ３６は、走査線３３を介して供給される走査信号によ
ってオン状態となり、これにより、データ線３４に供給される電圧信号である画像データ
が画素電極３５に供給される。また、対向電極４０には、対向電極電位Ｖｃｏｍが供給さ
れる。そして、このＴＦＴアレイ基板２上に形成された画素電極３５と、対向電極４０と
の間の電圧が液晶セルに印加される。
【００２０】
液晶セルは、印加された電圧に応じて配向を変化させ、これにより、液晶セルを透過す
る光が変調される。すなわち、対向電極電位Ｖｃｏｍを基準として、階調に応じた電位を
画素電極３５に供給することで画像が表示される。
本実施形態の電気光学装置１００は、カラー表示が可能な液晶装置であって、画像表示
領域４には、図示しないカラーフィルタが画素電極３５のそれぞれに対応して設けられて
いる。これらカラーフィルタはそれぞれ、原色の着色が施され、且つ異なる複数の色に着
色されている。
【００２１】
本実施形態においては、パネルの輝度アップを目的として、画像表示領域４に設けられ
ているカラーフィルタは、Ｒ（赤系）、Ｇ（緑系）、Ｂ（青系）、Ｗ（白系）の４色に着
色されているものとし、これら４つのカラーフィルタは隣接する二行二列の画素電極に対
応して配置されている。そして、カラーフィルタのそれぞれが１つのサブ画素を形成し、
４色のカラーフィルタに対応した４つのサブ画素３７Ｒ、３７Ｇ、３７Ｂ、３７Ｗによっ
て画像を表示するためのドットに対応する１つの画素３７が構成される。
【００２２】
本実施形態では、図２に示すように、隣接する二行二列の画素行及び画素列において、
４つの色相を有するサブ画素（Ｒ、Ｇ、Ｂ、Ｗ）を、例えば、図２に示すように、行方向
にはＧ（緑系）及びＢ（青系）のサブ画素、又は、Ｒ（赤系）及びＷ（白系）のサブ画素
が順に配列されており、列方向にはＧ（緑系）及びＲ（赤系）のサブ画素、又はＢ（青系
）及びＷ（白系）のサブ画素が順に配列されている。
【００２３】
そして、このように、隣接する２本の走査線３３と隣接する２本のデータ線３４との交
差のそれぞれに対応して設けられた４色のサブ画素３７Ｒ〜３７Ｗから１つの画素３７が
形成され、１画素を構成するサブ画素３７Ｒ〜３７Ｗが、二行二列に配置された配列を、
ここでは田の字配列と称す。
また、電気光学装置１００には、略矩形状の画像表示領域４の外側に、走査線駆動回路
３９及びデータ線駆動回路３８が配設されている。走査線駆動回路３９及びデータ線駆動
回路３８は、半導体チップにより構成されており、ＴＦＴアレイ基板２上に実装されてい
る。
【００２４】
走査線駆動回路３９は、走査信号Ｇ１、Ｇ２、Ｇ３、…、Ｇ２４０を、それぞれ１行目
、２行目、３行目、…、２４０行目の走査線３３に供給するものである。詳細には、走査
線駆動回路３９は、２４０本の走査線３３を水平走査期間毎に順次１本ずつ選択すると共
に、選択した走査線３３には選択電圧、他の走査線３３には非選択電圧を、それぞれ供給
するが、このとき、Ｗ（白系）のサブ画素３７Ｗが配列されていない走査線、つまり、Ｇ
のサブ画素３７Ｇ又はＢのサブ画素３７Ｂが配列された走査線に選択電圧を供給するとき
には、この走査線よりも２ライン後の走査線に対して、非選択電圧ではなく予備選択電圧
を供給し、この動作を、垂直走査期間（１フレーム期間）毎に繰り返すものである。
【００２５】
データ線駆動回路３８は、選択電圧が供給される、走査線駆動回路３９により選択され
た走査線３３に接続された画素に対し、その表示内容（階調）に応じたデータ信号Ｓ１、
Ｓ２、Ｓ３、…、を、それぞれ１列目、２列目、３列目、…のデータ線３４を介して供給
することにより、サブ画素すなわち液晶セルを駆動するものである。
ここで、データ線駆動回路３８は、共通電極の電圧を基準電圧として、この基準電圧よ
りも高い電圧でデータ線３４に画像信号を供給する正極性書き込みと、基準電圧よりも低
い電圧でデータ線３４に画像信号を供給する負極性書き込みとを交互に行うものとする。
つまり、データ線駆動回路３８は、液晶の焼きつきを防止するため、例えば、交流電圧を
用いて１水平ライン毎に、交互に正極性書き込み又は負極性書き込みを行い、且つフレー
ム毎に極性を反転させる、いわゆるライン反転駆動方式で駆動するようになっている。
【００２６】
また、データ線駆動回路３８は、後述する駆動回路１から出力される画像データをアナ
ログ画像信号に変換するＤＡＣと、ＤＡＣによって得られたアナログ画像信号を増幅する
増幅回路と、１水平走査期間（１Ｈ期間）において、所定本数（本実施形態では、Ｒ又は
Ｇ、Ｗ又はＢに対応する２本）のデータ線３４を順次に選択することにより、アナログ画
像信号（データ信号）を前記所定本数のデータ線に時分割して供給する選択回路としての
スイッチＳＷを備えている。
【００２７】
図３は、データ線駆動回路３８による各画素の駆動方式を説明するための図である。
この図３において、（ａ）は、スイッチＳＷの概略図、（ｂ）は１水平走査期間（１Ｈ
期間）における各画像データのタイミングチャートである。
図３（ａ）のスイッチＳＷは、Ｒ、Ｗの順、又はＧ、Ｂの順にそれぞれ対応するデータ
線３４を選択するように切り換わり、図３（ｂ）に示すように、１Ｈ期間において、対応
するデータ線３４にＲ、Ｗの順、又はＧ、Ｂの順で画像信号が時分割で供給され、結果的
に、２Ｈ期間において、Ｒ、Ｗ、Ｇ、Ｂの順で画像信号が供給される。
【００２８】
ここで、図３（ａ）におけるスイッチＳＷの切り換えタイミングは、後述する駆動回路
１のセレクトタイミング制御回路１９から出力される画像信号の選択信号（Ｒ＿ＳＥＬ、
Ｇ＿ＳＥＬ、Ｂ＿ＳＥＬ、Ｗ＿ＳＥＬ）と同期し、Ｒ＿ＳＥＬ及びＧ＿ＳＥＬのタイミン
グで、一方のデータ線に切り換え、Ｗ＿ＳＥＬ及びＢ＿ＳＥＬのタイミングで、他方のデ
ータ線に切り換えるようになっている。
走査線駆動回路３９及びデータ線駆動回路３８は、それぞれ信号線７６及び７２を介し
て駆動回路１に電気的に接続されている。なお、走査線駆動回路３９及びデータ線駆動回
路３８は、ＴＦＴアレイ基板２上に半導体製造工程により形成されるものであってもよい
。
【００２９】
図４は、駆動回路１の概略構成を示すブロック図である。
この駆動回路１は、外部装置であるＬＣＤコントローラ１１からの画像信号と各種コマ
ンド信号とを受信する。駆動回路１は、インタフェースコントローラ（以下、Ｉ／Ｆコン
トローラという）１２と、コマンド制御回路１３と、画像処理回路１４と、セレクタ回路
１５と、ラッチ回路１６と、ガンマ（γ）補正回路（以下、ガンマ（γ）回路という）１
７と、増幅器１８と、セレクトタイミング制御回路１９と、信号選択回路２０とを含んで
構成される。
【００３０】
Ｉ／Ｆコントローラ１２には、ＬＣＤコントローラ１１からの画像信号等が入力される
。Ｉ／Ｆコントローラ１２は、入力された画像信号等を所定の単位、例えば８ビット毎に
コマンド制御回路１３へ出力する。
コマンド制御回路１３は、入力された信号が、コマンド信号であるか画像信号であるか
に応じて、画像処理回路１４への画像信号と制御信号とを出力する。例えば、コマンド制
御回路１３は、２４ビットの単位で画像信号を、１クロックＣＬＫ毎に画像処理回路１４
へ出力する。
【００３１】
画像処理回路１４は、３色、すなわちＲＧＢ（赤系、緑系、青系）の３つの画像信号を
、先に述べたＲＧＢＷの４色の画像信号に変換する色変換回路を含む。
セレクタ回路１５には、画像処理回路１４から出力された画像信号が入力される。そし
て、セレクタ回路１５は、ＲＡＭ等のラッチ回路１６へ所定の単位で選択した画像信号を
出力する。ラッチ回路１６にストアされた画像信号は、ガンマ回路１７へ出力される。
【００３２】
ガンマ回路１７は、ガンマ補正のための回路であり、入力された画像信号にガンマ補正
を施して、ガンマ補正された画像信号を増幅器１８へ供給する。
増幅器１８は、画像信号を所定の増幅率で増幅するための増幅回路であり、ガンマ回路
１７からの画像信号を所定の増幅率で増幅して信号選択回路２０へ供給する。増幅器１８
の増幅率は、後述するようにコマンド制御回路１３から供給される増幅率制御信号ＡＤＪ
によって決定される。
【００３３】
セレクトタイミング制御回路１９は、コマンド制御回路１３からの制御信号ＳＥＬＬに
基づいて、各色の画像信号の選択タイミングを表す選択信号を信号選択回路２０へ出力す
る回路である。
信号選択回路２０は、入力される複数の画像信号を選択するスイッチ回路を含む回路で
ある。信号選択回路２０は、セレクトタイミング制御回路１９からの選択信号に基づいて
、所定のタイミングで入力される画像信号を、それぞれ対応するＲ（赤系）用、Ｇ（緑系
）用、Ｂ（青系）用、Ｗ（白系）用のデータ線に出力する。
【００３４】
そのために、信号選択回路２０は、Ｒ用、Ｇ用、Ｂ用及びＷ用の４つのデータ線に対応
する、４つのスイッチ回路ＳＷＲ、ＳＷＧ、ＳＷＢ、ＳＷＷを含む。セレクトタイミング
制御回路１９は、４つのスイッチ回路ＳＷＲ、ＳＷＧ、ＳＷＢ、ＳＷＷのオン、オフを制
御する選択信号（Ｒ＿ＳＥＬ、Ｇ＿ＳＥＬ、Ｂ＿ＳＥＬ、Ｗ＿ＳＥＬ）を出力する。
本実施形態では、セレクトタイミング制御回路１９は、１Ｈ期間において、Ｒ用のスイ
ッチ回路ＳＷＲ、Ｗ用のスイッチ回路ＳＷＷを順番にオン状態とし、次の１Ｈ期間におい
て、Ｇ用のスイッチ回路ＳＷＧ、Ｂ用のスイッチ回路ＳＷＢを順番にオン状態として、４
色の画像信号を、２Ｈ期間で、所定時間ずつ順番に出力するような選択信号を出力する。
【００３５】
コマンド制御回路１３は、上述したように、画像処理回路１４及びセレクタ回路１５へ
画像信号等を出力するのに加えて、増幅器１８への増幅率制御信号ＡＤＪとセレクトタイ
ミング制御回路１９への選択制御信号ＳＥＬＬを出力する。
増幅器１８は、増幅率制御信号ＡＤＪに基づいて、入力された画像データを増幅する。
以上の構成を有する、本実施形態の電気光学装置１００の動作を、以下に説明する。
【００３６】
図５は、電気光学装置１００の動作を説明するためのタイミングチャートである。
図５において、ＧＡＴＥ１１、ＧＡＴＥ１２、…は、それぞれ１１行目、１２行目、…
の走査線３３に供給される走査信号を示している。なお、図５にはブランキング期間を設
けていないが、実際には、ブランキング期間が経過した後、データ線３４への信号の供給
が行われる。
【００３７】
画像処理回路１４は、コマンド制御回路１３からのクロック信号ＣＬＫを受けて駆動さ
れ、ＬＣＤコントローラ１１から入力される第１の色画像信号であるＲＧＢの３色の画像
信号を、第２の色画像信号であるＲＧＢＷの４色の画像信号に変換する。そして、セレク
トタイミング制御回路１９から出力される選択信号Ｒ＿ＳＥＬ、Ｇ＿ＳＥＬ、Ｂ＿ＳＥＬ
、Ｗ＿ＳＥＬに応じて、信号選択回路２０の４つのスイッチ回路ＳＷＲ、ＳＷＧ、ＳＷＢ
、ＳＷＷがオン／オフ制御され、駆動回路１は、データ線駆動回路３８に対して、所定の
タイミングで所定の時間ずつ、４色の画像信号を出力する。
【００３８】
データ線駆動回路３８は、駆動回路１から出力された４色の画像信号を、データ信号と
して各サブ画素３７Ｒ、３７Ｇ、３７Ｂ及び３７Ｗに接続されたデータ線３４に順次供給
する。このとき、１水平走査区間に、Ｒ信号及びＷ信号、又はＧ信号及びＢ信号が出力さ
れ、結果的に２水平走査区間で、４色のデータ信号が出力されることになる。
そして、このとき、１フレーム毎及び１水平ライン毎に交互に正極性書き込み、又は負
極性書き込みを行うライン反転駆動方式によって、各サブ画素が駆動される。
【００３９】
図５において、例えば、１Ｈ期間が始まる時刻ｔ１で、例えば、ＧＡＴＥ１１に対応す
る走査線ｙ１１に対して選択電圧が供給され、さらに、図３に示す、スイッチＳＷでＲ（
赤系）及びＧ（緑系）のサブ画素３７Ｒ、３７Ｇに対応するデータ線側であるＳＥＬ１側
が選択されると、このＲ系又はＧ系に対応するデータ線に対して駆動回路１から出力され
たＲ（赤系）のデータ信号が供給される。その後スイッチＳＷがＳＥＬ２側に切り換わり
、Ｗ系又はＢ系に対応するデータ線が選択されると共に、選択されたデータ線に対して駆
動回路１から出力されたＷ系のデータ信号が供給される。そして、次の１Ｈ期間が始まる
時刻ｔ２で、次の走査線ｙ１２に対して選択電圧が供給され、さらにスイッチＳＷがＳＥ
Ｌ１側に切り換わり、Ｒ系又はＧ系に対応するデータ線が選択され、このデータ線に対し
て駆動回路１から出力されたＧ系のデータ信号が供給される。その後、時刻ｔ３でスイッ
チＳＷがＳＥＬ２側に切り換わり、Ｗ系又はＢ系に対応するデータ線が選択されると共に
、選択されたデータ線に対して駆動回路１から出力されたＢ系の画像信号が供給される。
これによって、時刻ｔ１から時刻ｔ４までの２Ｈ期間において、ＲＷＧＢの画像信号が時
分割で順次出力されるようになっている。
【００４０】
そして、時刻ｔ１から時刻ｔ２までの１Ｈ期間は、例えば負極性書き込みを行うものと
する。すなわち、走査線駆動回路３９によりＧＡＴＥ１１に対応する走査線ｙ１１に選択
電圧を供給してこの走査線ｙ１１に係る１水平ラインのＴＦＴ３６を全てオン状態とする
。そして、データ線駆動回路３８により、共通電極の電圧よりも低い電圧でデータ線にデ
ータ信号を供給し、画素電極３５を介して画素（液晶セル）に画像データを書き込む。そ
して、次の時刻ｔ２から時刻ｔ４までの１Ｈ期間は、正極性書き込みを行う。すなわち、
走査線駆動回路３９によりＧＡＴＥ１２に対応する走査線ｙ１２に選択電圧を供給してこ
の走査線ｙ１２に係る１水平ラインのＴＦＴ３６を全てオン状態とする。そして、データ
線駆動回路３８により、共通電極の電圧より高い電圧でデータ線にデータ信号を供給し、
画素に画像データを書き込む。
以上のように、ライン反転駆動方式により、１水平ライン毎に交互に正極性書き込み及
び負極性書き込みを繰り返して１つのフレームを生成する。
【００４１】
ここで、上述のように、走査線駆動回路３９は、図５に示すように、走査線３４に順次
選択電圧を供給して、走査線３４を所定のタイミングで順次選択するが、Ｗ（白系）のサ
ブ画素３７Ｗが接続されていない、Ｇ系及びＢ系のサブ画素３７Ｇ、３７Ｂが接続された
走査線に選択電圧を供給し、対応するサブ画素に対して駆動回路１からのデータ信号の書
き込みを行う本書き込みを行うときには、これと同極性のデータ信号が書き込まれる走査
線であり、且つ、本書き込みを行うための走査線よりも後に選択され、且つこれに最も近
い位置に配置された走査線も選択する。つまり、図５において、時刻ｔ２では、ＧＡＴＥ
１２に対応する走査線ｙ１２に対して選択電圧を供給すると共に、この走査線ｙ１２は、
正極性の書き込みが行われるラインであることから、この走査線ｙ１２よりも後に選択さ
れ、且つ正極性の書き込みが行われる、最も近い位置に配置されたＧＡＴＥ１４に対応す
る走査線ｙ１４も選択する。つまり、時刻ｔ２で走査線ｙ１２に対して選択電圧を供給す
るときに、これと共に走査線ｙ１４に対して予備選択電圧を供給する。
【００４２】
これによって、走査線ｙ１２には選択電圧が供給され、また、ＳＥＬ１側のデータ線に
は、Ｇ（緑系）のデータ信号が供給されることから、これ走査線及びデータ線の交差位置
のサブ画素３７Ｇに、このサブ#画素３７Ｇ用のＧ（緑系）のデータ信号であるＧ１信号
が書き込まれ、本書き込みが行われる。さらに、このとき、走査線ｙ１４には予備選択電
圧が供給され走査線ｙ１４も選択されていることから、走査線ｙ１４及びＳＥＬ１側のデ
ータ線の交差位置のサブ画素３７Ｇにも同じＧ１信号が書き込まれることになる（以後、
予備書き込みともいう。）。
【００４３】
そして、時刻ｔ３でスイッチＳＷがＳＥＬ２側に切り換わり、データ線が切り換えられ
ると、この切り換えられたデータ線にＢ（青系）のデータ信号が供給され、走査線ｙ１２
及びＳＥＬ２側のデータ線の交差位置のサブ画素３７Ｂに対してサブ画素３７Ｂ用のＢ１
信号が書き込まれ、このとき、走査線ｙ１４には予備選択電圧が供給されていることから
、走査線ｙ１４及びＳＥＬ２側のデータ線の交差位置のサブ画素３７Ｂに対しても同じＢ
１信号が書き込まれ、すなわち予備書き込みが行われる。
【００４４】
次いで、時刻ｔ４で、走査線が切り換わり今度は走査線ｙ１３に対して選択電圧が供給
される。この走査線ｙ１３には、Ｗ系のサブ画素３７Ｗが接続されているため、この場合
には、走査線ｙ１３にのみ選択電圧が供給される。
一方、ＳＥＬ１側のデータ線に対してＲ（赤系）のデータ信号が供給されて、走査線ｙ
１３及びＳＥＬ１側のデータ線の交差位置のサブ画素３７ＲにＲ（赤系）のデータ信号が
書き込まれ、次にデータ線がＳＥＬ２側に切り換えられ、このデータ線にＷ（白系）のデ
ータ信号が供給されると、走査線ｙ１３及びＳＥＬ２側のデータ線の交差位置のサブ画素
３７ＷにＷ（白系）のデータ信号が書き込まれる。
【００４５】
次いで、時刻ｔ５で、走査線が切り換わり走査線ｙ１４が選択され、ＳＥＬ１側のデー
タ線が選択されると、このデータ線にＧ（緑系）のデータ信号が供給される。これによっ
て、走査線ｙ１４及びＳＥＬ１側のデータ線の交差位置のサブ画素３７ＧにＧ２信号が書
き込まれる。
ここで、走査線ｙ１４及びＳＥＬ１側のデータ線の交差位置のサブ画素３７Ｇには、時
刻ｔ２で走査線ｙ１２を選択し、走査線ｙ１２に配列されたサブ画素３７Ｇに対して本書
き込みを行った時点で既に正極性のデータの書き込みが行われており、すなわち予備書き
込みが行われている。したがって、予備書き込みが行われているサブ画素３７Ｇに対して
、さらに書き込みを行うことになる。
【００４６】
田の字配列の場合、１水平走査期間を２分割して、データ線への信号供給を切り換えて
いるため、データ線へのデータ信号の供給期間が１／２となり、サブ画素へのデータ信号
の書き込み不足が生じる可能性がある。この書き込み不足は、特に、１水平走査期間の後
半でデータ信号が供給されるＢ（青系）のデータ信号を書き込む際に生じる可能性が高く
なる。
【００４７】
しかしながら、上述のように、走査線ｙ１４に接続されるサブ画素３７Ｇに対して本書
き込みを行う時点よりも前の、走査線ｙ１２に接続された画素に対する本書き込みを行う
際に、このサブ画素３７Ｂに対して予備書き込みを行っている。このため、予備書き込み
により画素電極電位の極性を負極性から正極性方向へ近づけ、さらに本書き込みで微調整
を行うことになる。よって、画素への書き込みをより確実に行うことができ、書き込み不
足を回避することができる。
【００４８】
そして、この走査線ｙ１４は、Ｗ（白系）のサブ画素３７Ｗが接続されていないことか
ら、この走査線ｙ１４と同極性である走査線ｙ１６も選択し予備選択電圧を供給する。こ
れによって、走査線ｙ１６とＳＥＬ１側のデータ線との交差位置のサブ画素３７Ｇに対し
て、走査線ｙ１４に配列されたサブ画素３７Ｇへの画像信号Ｇ２が書き込まれ、すなわち
予備書き込みが行われる。同様にして、走査線ｙ１６とＳＥＬ２側のデータ線との交差位
置のサブ画素３７Ｂへの画像信号Ｂ２の書き込みが行われ、サブ画素３７Ｂへの予備書き
込みが行われる。
【００４９】
したがって、これら走査線ｙ１６に配列されたサブ画素３７Ｇ、３７Ｂは、これらに対
してデータ信号の本書き込みが行われる時点では、既に予備書き込みが行われていること
から、サブ画素３７Ｇ、３７Ｂｃの画素電極電位の極性は負極性から正極性方向に近づい
ており、この状態で、正極性書き込みにより本書き込みが行われることになる。したがっ
て、短い書き込み時間であっても、画素へのデータ信号の書き込みを十分行うことができ
る。
【００５０】
一方、Ｗ（白系）のサブ画素３７Ｗが接続されている場合には、予備書き込みは行われ
ない。サブ画素３７Ｗが接続される走査線、例えばｙ１３の場合、１水平区間において、
サブ画素３７Ｒ、サブ画素３７Ｗの順に画像信号の供給が行われる。サブ画素３７Ｒへの
書き込みは先に行われるため書き込み不足となる可能性は小さいが、サブ画素３７Ｗにつ
いては書き込み不足が生じる可能性がある。しかしながら、このサブ画素３７Ｗへのデー
タ信号は輝度情報を表すものであって色彩情報を表すものではないから、多少書き込み不
足が生じた場合であっても、表示画像の映像的にそれほど影響を及ぼすものではない。
【００５１】
したがって、Ｗ（白系）のサブ画素３７Ｗが接続された走査線への予備書き込みを行わ
ない分、消費電力の削減を図ることができる。よって、書き込み不足による影響を回避し
つつ、消費電力の削減を図ることができる。
また、上記実施の形態においては、輝度に関与するＷ（白系）のサブ画素３７Ｗが接続
されていない走査線のみに対して予備書き込みを行っているが、全ての走査線について予
備書き込みを行うようにすることも可能である。しかしながら、上述のように、１水平走
査期間の後半に駆動されるサブ画素がＷ系のサブ画素３７Ｗの場合には、書き込み不足が
生じたとしても表示画像事態にはそれほど影響はないから、Ｗ（白系）のサブ画素３７Ｗ
が接続された走査線に対して予備書き込みは行う必要はなく、その分、不要な予備書き込
み行うことによる消費電力を低減することができる。
【００５２】
このように、４色に着色された複数のカラーフィルタを用いることによって、輝度の高
い画像を表示することができる。また、１水平走査期間においてＲＧＢＷの画像信号を時
分割で出力するような回路構成としているので、消費電力を低減することができる。
また、データ線の駆動方式としては、図６に示すように、ソースライン数と同数のＤＡ
Ｃ（デジタル／アナログ変換器）及び増幅回路を有し、１水平走査期間において、各色（
ここでは、ＲＧＢ）のデータ信号を同時に出力するというものが知られている。しかしな
ら、この場合、消費電力が増加すると共に、チップ面積も増大する。
【００５３】
これに対して、本実施形態では、前述した図３に示すように、ＤＡＣ及び増幅回路の数
を減少させることができ、消費電力やチップ面積を小さくすることができる。
さらに、上述のように、１水平走査期間においてＲ、Ｗ又は、Ｇ、Ｂの画像信号を時分
割で出力するため、前述した図６に示す駆動方式と比較して各画像信号の書き込み時間は
短くなるが、この書き込み時間の減少による影響は、上述のように、予備書き込みを行う
ことによって回避することができる。
【００５４】
つまり、上述のように、画素への本書き込みのタイミングの前に、前以って、画素への
書き込みを行っておき、さらに本書き込みを行ってデータ信号で指定される電位相当の書
き込みを行っているから、書き込み時間が短い場合であっても確実に書き込みを行うこと
ができる。
さらに、１水平走査期間において、所定本数のデータ線を順次に選択することにより、
画像信号を前記所定本数のデータ線に時分割して供給する選択回路を備えることで、駆動
回路に設けるＤＡＣ（デジタル／アナログ変換器）や増幅回路の数を減らすことができ、
消費電力や回路規模を小さくすることができる。
【００５５】
なお、上記実施の形態においては、本書き込みを行う走査線、例えばｙ１２に対し、こ
の２ライン後の、同極性の書き込みが行われる走査線ｙ１４に対して予備書き込みを行う
場合について説明したがこれに限るものではない。例えば、４ライン後の走査線ｙ１６に
対して予備書き込みを行うようにしてもよく、本書き込みを行う走査線よりも後に、本書
き込みが行われ、且つ、同極性の書き込みが行われる走査線であればよく、１つではなく
複数の走査線に対して予備書き込みを行うようにしてもよい。
【００５６】
また、予備選択電圧として、本書き込みを行う場合の選択電圧と同一電圧を供給し、且
つこの予備選択電圧を本書き込みと同一期間にわたって供給する場合について説明したが
、これに限るものではなく、予備選択電圧の供給期間を調整する調整手段を設け、予備選
択電圧の供給期間を調整するようにしてもよい。つまり、画像データの書き込み不足は、
特に１Ｈ期間の後半に書き込みが行われるサブ画素、つまり、図２の場合には、Ｗ及びＢ
のサブ画素３７Ｗ、３７Ｂにおいて生じる可能性が高いことから、後半に書き込みが行わ
れるサブ画素について予備書き込みが行われれば、前半に書き込みが行われるサブ画素に
ついては必ずしも予備書き込みを行う必要はない。したがって、後半に書き込みが行われ
るサブ画素３７Ｗ、３７Ｂに対する書き込みが行われる期間にのみ、予備選択電圧を供給
するようにしてもよい。また、上述のように、サブ画素３７ｗに対する書き込み不足は許
容範囲であることから、サブ画素３７Ｂに対する書き込みが十分に行われるだけの予備選
択電圧を供給するようにしてもよい。
【００５７】
また、予備書き込みと本書き込みとを行うことによって、本書き込み時の画像データを
サブ画素に対して十分書き込むことが可能であればよいから、後半に書き込みが行われる
サブ画素の、画像データの書き込み特性等に応じて、予備書き込みを行う期間を調整する
ようにしてもよく、このように、予備書き込み期間を的確に設定することによって、消費
電力の削減をより的確に図ることができる。
また、予備書き込みを行うことによって、予備書き込みが行われたサブ画素により表示
画像が多少不鮮明になる可能性もあるが、この場合にも予備書き込み時間を調整し、表示
画像に影響を与えない範囲で予備書き込みを行うことによって、表示画像に影響を与える
ことなく消費電力の削減を図ることができる。
【００５８】
次に、本発明の第２の実施の形態を説明する。
図７は、第２の実施の形態における電気光学装置１００の概略構成を示す説明図である
。
この第２の実施の形態は、上記第１の実施の形態において、さらにイコライズ回路５０
を追加し、このイコライズ回路５０によって、データ線３４と対向電極４０とを短絡する
ようにしたものである。なお、上記第１の実施の形態と同一部には同一符号を付与し、そ
の詳細な説明は省略する。
【００５９】
このイコライズ回路５０は、ＴＦＴアレイ基板２上であって、走査線駆動回路３９と画
像表示領域４を挟んで対向する側に形成されている。イコライズ回路５０は、対向電極電
位Ｖｃｏｍを、イコライズスイッチ５１を介してデータ線３４に供給する回路である。
イコライズスイッチ５１は、イコライズ信号ＣＰにより開閉するスイッチ回路であり、
イコライズ信号ＣＰが供給されているオン状態の期間だけ、イコライズスイッチ５１がオ
ン状態となってデータ線３４に対向電極電位Ｖｃｏｍが供給される。言い換えれば、イコ
ライズ信号ＣＰが供給されている期間において、データ線３４は対向電極４０と短絡され
、両者の電位は等しくなる。
【００６０】
このイコライズ信号ＣＰは、駆動回路１から所定のタイミングで出力されるものである
。本実施形態では、前述のように、周期的に極性反転させた画像信号を各画素に対して供
給することで、当該画素を駆動するように構成されており、イコライズ信号ＣＰは、前記
Ｗ（白系）のサブ画素３７Ｗが接続された走査線において、前記極性反転する直前のブラ
ンキング期間中に駆動回路１から出力されるようになっている。
【００６１】
図８は、第２の実施の形態における電気光学装置１００の動作を説明するためのタイミ
ングチャートである。
図８において、ＧＡＴＥ１１、ＧＡＴＥ１２、…は、それぞれ１１行目、１２行目、…
の走査線３３に供給される走査信号を示している。また、ＣＰはイコライズ信号を示して
いる。
上記第１の実施の形態と同様に、駆動回路１は、ＬＣＤコントローラ１１から入力され
る第１の色画像信号であるＲＧＢの３色の画像信号を、第２の色画像信号であるＲＧＢＷ
の４色の画像信号に変換し、データ線駆動回路３８に対して、所定のタイミングで所定の
時間ずつ、４色の画像信号を出力する。
【００６２】
データ線駆動回路３８は、駆動回路１から出力された４色の画像信号を、データ信号と
して各サブ画素３７Ｒ、３７Ｇ、３７Ｂ及び３７Ｗに接続されたデータ線３４に順次供給
し、１水平ライン毎に交互に正極性書き込み、又は負極性書き込みを行うライン反転駆動
方式によって、各画素が駆動される。
そして、Ｗ（白系）のサブ画素３７Ｗが接続された走査線が選択され、これに選択電圧
が供給されているときには、正極性書き込みと負極性書き込みとが切り換わる直前の水平
ブランキング期間において、イコライズ信号ＣＰが供給されるようになっている。
【００６３】
つまり、Ｗ（白系）のサブ画素３７Ｗが接続されていない走査線については、上記第１
の実施の形態と同様に、例えば時刻ｔ１１でＧＡＴＥ１２に対応する走査線ｙ１２に対し
て選択電圧を供給すると共に、この走査線ｙ１２と同極性の画像信号が書き込まれるＧＡ
ＴＥ１４に対応する走査線ｙ１４に対しても、予備選択電圧を供給し、ブランキング期間
が経過した時点で、走査線ｙ１２及びＳＥＬ１側のデータ線の交差位置のサブ画素３７Ｇ
に対して本書き込みを行うと共に、走査線ｙ１４及びＳＥＬ１側のデータ線の交差位置の
サブ画素３７Ｇに対しても、サブ画素３７Ｇに対するデータ信号の書き込みが行われ、す
なわち予備書き込みが行われる。続いて、データ線がＳＥＬ２側に切り換えられて、サブ
画素３７Ｂに対する本書き込みが行われ、これと同時にサブ画素３７Ｂに対しても予備書
き込みが行われる。
【００６４】
次いで、時刻ｔ１２で、走査線がｙ１３に切り換わり、時刻ｔ１２から時刻ｔ１３の水
平ブランキング期間中に、イコライズ信号ＣＰが供給される。これにより、各データ線３
４に対向電極電位Ｖｃｏｍが供給され、データ線３４と対向電極４０とが等電位とされる
。言い換えれば、データ線３４と対向電極４０とが短絡される。
そして、短絡が解除された後、ＳＥＬ１側のデータ線が選択されこれに対して駆動回路
１から出力されたＲ（赤系）のデータ信号が供給され、続いて、ＳＥＬ２側のデータ線に
切り換わり、これに対して駆動回路１から出力されたＷ（白系）のデータ信号が供給され
る。
【００６５】
続いて、次の１Ｈ期間が始まる時刻ｔ１４で、走査線ｙ１４が選択され、水平ブランキ
ング期間が経過した時点でＳＥＬ１側のデータ線が選択されて、Ｇ（緑系）のデータ信号
が供給され、続いて、ＳＥＬ２側のデータ線に切り換わってＢ（青系）のデータ信号が供
給される。この場合、水平ブランキング期間にイコライズ信号ＣＰは供給されないから、
データ線３４は対向電極と短絡されない。
【００６６】
このとき、走査線ｙ１２が選択される時刻ｔ１１から時刻ｔ１２の１Ｈ期間は正極性書
き込みが行われ、走査線ｙ１３が選択される時刻ｔ１２から時刻ｔ１４の１Ｈ期間は負極
性書き込みが行われ、走査線ｙ１４が選択される時刻ｔ１４から時刻ｔ１５の１Ｈ期間は
、正極性書き込みが行われる。
ここで、走査線ｙ１２に対する書き込みを行う際に、これと同時に走査線ｙ１４に対し
て予備選択電圧を供給し、走査線ｙ１４に接続されたサブ画素３７Ｇｂ、３７Ｂｂに対し
て予備書き込みを行っているから、これらサブ画素３７Ｇｂ、３７Ｂｂで書き込み不足が
生じることを回避することができる。
【００６７】
一方、Ｗ系に対するサブ画素３７Ｗが接続された走査線ｙ１３については予備選択電圧
を供給していないため、Ｗ系に対するサブ画素３７Ｗ、３７Ｒに対する予備書き込みは行
われない。しかしながら、走査線ｙ１３が選択されたときには、図８の時刻ｔ１２から、
正極性書き込みから負極性書き込みへ切り換わり、極性が反転する直前の時刻ｔ１３まで
の水平ブランキング期間において、データ線３４の電位を、正極性側の電位と負極性側の
電位との略中間電位である対向電極電位まで引き下げ、画素電極電位を対向電極電位まで
引き下げる補助書き込みを行うため、画素電極電位を正極性側の電位から負極性側の電位
へ一気に引き下げる必要がなくなり、短い書き込み時間であっても画像データの書き込み
を十分に行うことができる。
【００６８】
したがって、Ｗ（白系）のサブ画素３７Ｗが接続された走査線に接続されるサブ画素３
７Ｒ、３７Ｗへの画像データの書き込みについては、その水平ブランキング期間中に、デ
ータ線３４と対向電極４０とを短絡することにより、データ線３４の電位を対向電極電位
まで変化させておき、一方、Ｗ（白系）のサブ画素３７Ｗが接続されていない走査線に接
続されるサブ画素３７Ｇ及び３７Ｂについては、これより先に本書き込みが行われ、且つ
同極性の書き込みが行われる走査線に接続されたサブ画素へのデータ信号を利用して予備
書き込みを行うことで、画素電極電位を正極性側又は負極性側の電位に変化させておくた
め、何れの場合も、画素電極電位を、正極性側の電位から負極性側への電位へ、又は負極
性側の電位から正極性側の電位へ一気に変化させる必要はなく、短い書き込み時間であっ
ても画像データの書き込みを十分に行うことができ、書き込み不足が生じることをより確
実に回避することができる。
【００６９】
なお、上記各実施の形態においては、サブ画素３７Ｇ及び３７Ｂ、３７Ｒ及び３７Ｗを
それぞれ隣接して配設し、且つ、サブ画素３７Ｇ及び３７Ｂと、３７Ｒ及び３７Ｗとを上
下に隣接して配置した場合について説明したが、これに限るものではなく、田の字配列で
あれば、どのような配列であってもよい。
また、上記各実施形態においては、ＲＧＢＷの４色のカラーフィルタを採用する場合に
ついて説明したが、ＲＧＢＣ（シアン）等を適用することもできる。また、メイン表示パ
ネルに使用されるカラーフィルタの着色領域を５色以上とすることもできる。５色以上の
カラーフィルタを採用する場合には、Ｗ（白系）やＣ（シアン系）といった、色彩に影響
を与えない非色彩情報を有するサブ画素を、各走査線の最後に書き込みが行われる位置に
配置すればよい。
【００７０】
さらに、上記実施の形態においては、データ線駆動回路３８は、１水平ライン毎に、交
互に正極性書き込み又は負極性書き込みを行い、且つフレーム毎に極性を反転させる、い
わゆるライン反転駆動方式で駆動する場合について説明したが、これに限るものではなく
、隣接する走査線間で画素への書き込み極性が反転するような駆動方式であれば適用する
ことができ、例えば、極性を２ライン毎に反転させる駆動方式であっても適用することが
できる。
【００７１】
さらにまた、上記各実施形態においては、本発明を、液晶を用いた電気光学装置に適用
する場合について説明したが、液晶以外の電光光学物質を用いた電気光学装置に適用する
こともできる。例えば、有機ＥＬや発光ポリマー等のＯＬＥＤ素子を電気光学物質として
用いた表示パネルや、着色された液体とこの液体に分散された白色の粒子とを含むマイク
ロプセルを電気光学物質として用いた電気泳動表示パネル、極性が相違する領域毎に異な
る色に塗り分けられたツイストボールを電気光学物質として用いたツイストボールディス
プレイパネル、黒色トナーを電気光学物質として用いたトナーディスプレイパネル、ヘリ
ウムやナオン等の高圧ガスを電気光学物質として用いたプラズマディスプレイパネル等、
各種の電気光学装置に対して本発明を適用することができる。
【００７２】
次に、上述した電気光学装置１００を適用した電子機器について説明する。
図９は、電気光学装置１００を適用した携帯電話１２０の構成を示す斜視図である。
この図９に示すように、携帯電話１２０は、複数の操作ボタン１２１のほか、受話口１
２２、送話口１２３と共に、液晶パネル１０を備えるものである。ここで、液晶パネル１
０は、上述した表示パネルである。
【００７３】
なお、電気光学装置１００のうち、液晶パネル１０以外の構成要素については電話機に
内蔵されるので、外観としては現れない。
また、電気光学装置１００が適用される電子機器としては、図９に示される携帯電話の
他にも、デジタルスチルカメラや、ノートパソコン、液晶テレビ、ビューファインダ型（
またはモニタ直視型）のビデオレコーダ、カーナビゲーション装置、ページャ、電子手帳
、電卓、ワードプロセッサ、ワークステーション、テレビ電話、ＰＯＳ端末、タッチパネ
ルを備えた機器等が上げられる。そして、これらの各種電子機器の表示装置として、上述
した電気光学装置１００が適用可能であることは言うまでもない。
【図面の簡単な説明】
【００７４】
【図１】本発明の実施形態の一例を示す電気光学装置の斜視図である。
【図２】電気光学装置の概略構成を示す説明図である。
【図３】データ線駆動回路によるデータ線の駆動方式を説明するための図である。
【図４】駆動回路の概略構成を示すブロック図である。
【図５】本発明の動作説明に供するタイミングチャートである。
【図６】従来のデータ線の駆動方式を説明するための図である。
【図７】本発明の第２の実施形態における電気光学装置の概略構成を示す説明図である。
【図８】第２の実施形態の動作説明に供するタイミングチャートである。
【図９】電気光学装置を適用した携帯電話の構成を示す斜視図である。
【符号の説明】
【００７５】
１  駆動回路、３３  走査線、３４  データ線、３５  画素電極、３６  ＴＦＴ、３７
画素、３８  データ線駆動回路、３９  走査線駆動回路、５０  イコライズ回路、５１
イコライズスイッチ、１００  電気光学装置、１２０  携帯電話
【図１】
2008164897.tif 000003
【図２】
2008164897.tif 000004
【図３】
2008164897.tif 000005
【図４】
2008164897.tif 000006
【図５】
2008164897.tif 000007
【図６】
2008164897.tif 000008
【図７】
2008164897.tif 000009
【図８】
2008164897.tif 000010
【図９】
2008164897.tif 000011